(57)【要約】  薄型でありながら優れた発光性能を有する発光装置を提供する。この発光装置は、表面を有する基体と、その基体の表面に設けられ、光軸を有する１以上の光源と、基体との間に光源を挟むように設けられた反射型レンズと、基体の表面に沿って光源を取り囲むように設けられ、光源から離れるほど基体からも離れるように光軸と実質的に直交する平面に対して第１の角度をなす第１の面を含む反射シートと、基体との間に光源、反射型レンズおよび反射シートを挟むように設けられた光拡散部材とを備える。
2016208484.tif 000002
【特許請求の範囲】
【請求項１】
表面を有する基体と、
前記基体の表面に設けられ、光軸を有する１以上の光源と、
前記基体との間に前記光源を挟むように設けられた反射型レンズと、
前記基体の表面に沿って前記光源を取り囲むように設けられ、前記光源から離れるほど前記基体からも離れるように前記光軸と実質的に直交する平面に対して第１の角度をなす第１の面を含む反射部材と、
前記基体との間に前記光源、前記反射型レンズおよび前記反射部材を挟むように設けられた光拡散部材と
を備えた発光装置。
【請求項２】
前記反射部材は、前記光源を取り囲む第１の領域部分と、前記光源と前記第１の領域部分との間において前記光源を取り囲む第２の領域部分とを有し、
前記第１の領域部分が前記第１の面を含み、
前記第２の領域部分は、前記光源から離れるほど前記基体からも離れるように前記光軸と実質的に直交する平面に対して前記第１の角度よりも小さい第２の角度をなす第２の面を含む
請求項１記載の発光装置。
【請求項３】
前記反射部材は、前記光源と前記第２の領域部分との間に、前記基体と直接的にまたは間接的に固定された第３の領域部分をさらに有する
請求項２記載の発光装置。
【請求項４】
前記第１の領域部分と前記第２の領域部分との間に、前記第１の面と前記第２の面とを繋ぐ曲面からなる第４の面を含む第４の領域部分をさらに有する
請求項２記載の発光装置。
【請求項５】
前記第１の領域部分は、前記反射部材のうち最も前記基体から離れた位置にある最外縁を含む
請求項１記載の発光装置。
【請求項６】
前記反射型レンズは、前記基体の表面から第１の高さの位置にある上端縁を有し、
前記第１の領域部分の最外縁は、前記基体の表面から前記第１の高さよりも低い第２の高さの位置にある
請求項５記載の発光装置。
【請求項７】
液晶パネルと、前記液晶パネルの背面側の発光装置とを備え、
前記発光装置は、
表面を有する基体と、
前記基体の表面に設けられ、光軸を有する１以上の光源と、
前記基体との間に前記光源を挟むように設けられた反射型レンズと、
前記基体の表面に沿って前記光源を取り囲むように設けられ、前記光源から離れるほど前記基体からも離れるように前記光軸と実質的に直交する平面に対して第１の角度をなす第１の面を含む反射部材と、
前記基体との間に前記光源、前記反射型レンズおよび前記反射部材を挟むように設けられた光拡散部材と
を有する表示装置。
【請求項８】
発光装置を備え、
前記発光装置は、
表面を有する基体と、
前記基体の表面に設けられ、光軸を有する１以上の光源と、
前記基体との間に前記光源を挟むように設けられた反射型レンズと、
前記基体の表面に沿って前記光源を取り囲むように設けられ、前記光源から離れるほど前記基体からも離れるように前記光軸と実質的に直交する平面に対して第１の角度をなす第１の面を含む反射部材と、
前記基体との間に前記光源、前記反射型レンズおよび前記反射部材を挟むように設けられた光拡散部材と
を有する照明装置。
【発明の詳細な説明】
【技術分野】
【０００１】
本開示は、発光装置、ならびにこれを備えた表示装置および照明装置に関する。
【背景技術】
【０００２】
例えば液晶表示装置などの表示装置に搭載される直下型のバックライトとして、基板上に配列された複数の光源と、各々の光源の直上に配置され、各々の光源からの光を広範囲に広げる複数のレンズとを備えたものが知られている（例えば特許文献１，２参照）。
【先行技術文献】
【特許文献】
【０００３】
【特許文献１】特開２０１３−２４７０３８号公報
【特許文献２】特開２０１３−２４７０３９号公報
【発明の概要】
【０００４】
しかしながら、各光源からの光が広範囲に広がると、輝度の均質性は向上するものの、例えば複数の光源のうちの一部を点灯させる部分駆動を行った際、点灯領域と消灯領域とのコントラスト比が十分に得られないことがある。点灯領域の周辺の消灯領域に、点灯領域における光源からの光が漏れてしまう場合があるからである。
【０００５】
したがって、薄型でありながら優れた発光性能を有する発光装置、ならびにこれを備えた表示装置および照明装置を提供することが望ましい。
【０００６】
本開示の一実施形態としての発光装置は、表面を有する基板と、その基板の表面に設けられ、光軸を有する１以上の光源と、基板との間に光源を挟むように設けられた反射型レンズと、基板の表面において光源を取り囲むように設けられ、光源から離れるほど基板からも離れるように光軸と実質的に直交する平面に対して第１の角度をなす第１の面を含む反射シートと、基板との間に光源、反射型レンズおよび反射シートを挟むように設けられた光拡散部材とを備える。また、本開示の一実施形態としての表示装置および照明装置は、上記発光装置を備えたものである。
【０００７】
本開示の一実施形態としての発光装置、表示装置および照明装置では、光源と、反射型レンズと、光軸と実質的に直交する平面に対して傾斜した第１の面を含む反射シートと、光拡散部材とを備えるようにした。このため、光源からの光が反射型レンズにより広く拡散しつつ、反射型レンズからの光は反射シートによって例えば光軸方向へ反射される。よって、例えば隣り合う他の光源が支配する発光領域への無用な光漏れが抑制される。
【０００８】
本開示の一実施形態としての発光装置によれば、薄型化した場合であっても例えば輝度分布の緩和とコントラスト比の向上との両立などの優れた発光性能を実現することができる。このため、この発光装置を用いた表示装置によれば、優れた映像表現を発揮することができる。また、この発光装置を用いた照明装置によれば、対象物に対し、選択的に、より均質な照明を行うことができる。なお、本開示の効果はこれに限定されるものではなく、以下に記載のいずれの効果であってもよい。
【図面の簡単な説明】
【０００９】
【図１Ａ】本開示における第１の実施の形態に係る発光装置の全体構成例を表す概略断面図である。
【図１Ｂ】図１Ａに示した発光装置の要部の構成を拡大して表す断面図である。
【図２】図１Ａに示した発光装置の平面構成を拡大して表す平面図である。
【図３】図２に示した発光装置の要部の一部をさらに拡大して表す断面図である。
【図４Ａ】図１Ａに示した発光装置における一の光源の輝度分布を表す特性図である。
【図４Ｂ】図１Ａに示した発光装置における一の光源の輝度分布を表す特性図である。
【図５】図１Ａに示した発光装置の第１変形例を表す概略断面図である。
【図６】図１Ａに示した発光装置の第２変形例を表す概略断面図である。
【図７】図１Ａに示した発光装置の第３変形例を表す概略断面図である。
【図８】図１Ａに示した発光装置の第４変形例を表す概略断面図である。
【図９】本開示の第２の実施の形態に係る表示装置の外観を表す斜視図である。
【図１０】図９に示した本体部を分解して表す斜視図である。
【図１１】図０に示したパネルモジュールを分解して表す斜視図である。
【図１２Ａ】本開示の表示装置を搭載したタブレット型端末装置の外観を表す斜視図である。
【図１２Ｂ】本開示の表示装置を搭載した他のタブレット型端末装置の外観を表す斜視図である。
【図１３】本開示の発光装置を備えた第１の照明装置の外観を表す斜視図である。
【図１４】本開示の発光装置を備えた第２の照明装置の外観を表す斜視図である。
【図１５】本開示の発光装置を備えた第３の照明装置の外観を表す斜視図である。
【図１６】図１Ａに示した発光装置の第５変形例を表す概略断面図である。
【発明を実施するための形態】
【００１０】
以下、本開示の実施の形態について図面を参照して詳細に説明する。なお、説明は以下の順序で行う。
１．第１の実施の形態
傾斜角度の異なる２種類の傾斜面を有する反射部材を備えた発光装置。
２．第１の実施の形態の第１変形例
平坦面と、その外縁に立設する傾斜面とを有する反射部材を備えた発光装置。
３．第１の実施の形態の第２変形例
光源基板を２以上の光源が共有するようにした発光装置。
４．第１の実施の形態の第３変形例
光源基板と反射部材とを一体化した発光装置。
５．第１の実施の形態の第４変形例
反射部材が曲面のみからなる反射面を有するようにした発光装置。
６．第２の実施の形態（表示装置；液晶表示装置）
７．表示装置の適用例
８．照明装置の適用例
【００１１】
＜１．第１の実施の形態＞
［発光装置１０の構成］
図１Ａは、本開示の第１の実施の形態としての発光装置１０の全体構成を模式的に表す断面図である。図１Ｂは、発光装置１０の要部を拡大して表す断面図である。図２は、発光装置１０における反射板３の平面構成を拡大して表す平面図である。また、図３は、図１Ｂに示した発光装置１０の要部（破線で囲んだ符号IIIを付した部分）の構成を拡大して表す断面図である。なお、図１Ａは、図２に示したＩ−Ｉ線に沿った矢視方向の断面に相当する。発光装置１０は、例えば、透過型の液晶パネルを背後から照明するバックライトとして、あるいは室内等において照明装置として用いられるものである。
【００１２】
発光装置１０は、基体としての基体１００の内面１００Ｓに設けられた光源１と、基体１００との間に光源１を挟むように設けられた反射型レンズ２と、反射シート３と、拡散板４と、光学シート群５とを有している。
【００１３】
本明細書では、基体１００と拡散板４とを結ぶ距離方向をＺ方向（前後方向）とし、基体１００および拡散板４の主面（最も広い面）における左右方向をＸ方向、上下方向をＹ方向とする。
【００１４】
（光源１）
光源１は複数設けられ、基体１００の内面１００Ｓに、例えばマトリクス状に配列されている。複数の光源１はそれぞれ例えば内面１００Ｓと直交する方向（Ｚ方向）の光軸ＣＬを有する点光源であり、具体的には白色光を発振するＬＥＤ（Light Emitting Diode；発光ダイオード）により構成されている。複数の光源１は、例えば反射シート３に形成された複数の開口３Ｋに対応した位置に１つずつ配置されている。各光源１は、例えば駆動回路６が形成された複数の光源基板７の上に設けられている。駆動回路６は、例えば光源１の駆動を行うものである。複数の光源基板７は、それぞれ基体１００の内面１００Ｓに固定されている。
【００１５】
（反射シート３）
反射シート３は、入射光に対して反射、拡散、散乱など（以下、反射等という。）の光学的作用を及ぼす機能を有する。反射シート３は、基体１００の内面１００Ｓに沿って光源１を取り囲むように設けられ、光源１から離れるほど基体１００からも離れるように光軸ＣＬと実質的に直交する平面（ＸＹ平面）に対して傾斜した上面を有している。より具体的には、反射シート３は、光源１を取り囲む第１の領域Ｒ１に設けられた第１の領域部分３１と、光源１と第１の領域部分３１との間において光源１を取り囲む第２の領域Ｒ２に設けられた第２の領域部分３２とを有している（図１Ｂ参照）。第１の領域部分３１はＸＹ平面に対して第１の角度θ１をなす第１の面３１Ｓを含み、第２の領域部分３２はＸＹ平面に対して第１の角度θ１よりも小さい第２の角度θ２をなす第２の面３２Ｓを含んでいる。第１の面３１Ｓおよび第２の面３２Ｓは、いずれも光源１から離れるほど基体１００からも離れるように傾斜している。なお、第１の面３１Ｓおよび第２の面３２Ｓは、いずれも、例えば反射型レンズ２を経由して到達する光源１からの光に対して反射等の光学的作用を及ぼすものであり、それぞれ平面であってもよいし曲面であってもよい。
【００１６】
反射シート３は、光源１と第２の領域部分３２との間の第３の領域Ｒ３に設けられた第３の領域部分３３をさらに有するとよい。第３の領域部分３３は上面として第３の面３３Ｓを有している。第３の面３３Ｓもまた、例えば反射型レンズ２を経由して到達する光源１からの光に対して反射等の光学的作用を及ぼすものである。第３の領域部分３３の下面（第３の面３３Ｓと反対側の面）は、光源基板７の上面に固定されている。すなわち、反射シート３（第３の領域部分３３）は、光源基板７を介して基体１００の内面１００Ｓと間接的に固定されている。このように第３の領域部分３３が光源基板７の上面に固定されることで、反射型レンズ２からの光が第３の領域部分３３と光源基板７との間に生じる隙間から反射シート３の下方へ漏れるのを防止することができる。なお、反射シート３（第３の領域部分３３）は、基体１００の内面１００Ｓと直接的に固定されるようにしてもよい。その場合であっても、反射型レンズ２からの光が反射シート３の下方へ漏れるのを防止することができる。
【００１７】
また反射シート３は、図３に示したように、第１の領域部分３１と第２の領域部分３２との間に第４の領域部分３４をさらに有するようにすることが望ましい。第４の領域部分３４は、第１の面３１Ｓと第２の面３２Ｓとを繋ぐ曲面からなる第４の面３４Ｓを含んでいる。第４の面３４Ｓもまた、反射型レンズ２を経由して到達する光源１からの光に対して反射等の光学的作用を及ぼすものである。曲面からなる第４の面３４Ｓの存在により、光源１から発せられた光の輝度分布において強い輝度ピークが出現するのを抑えることができる。この理由については後述する。
【００１８】
第１の領域部分３１は、反射シート３のうち例えばＺ方向において後部筐体１２４や光源基板７から最も離れた位置にある最外縁３１Ｔを含んでいる。すなわち最外縁３１Ｔは、反射シート３においてＺ方向に突出する凸部を形成している。また、最外縁３１Ｔは、ＸＹ平面において光源１および反射型レンズ２から最も離れた位置にある。また、最外縁３１Ｔは、ＸＹ平面において格子状に設けられている（図２参照）。したがって、Ｘ方向に伸びる最外縁３１ＴとＹ方向に伸びる最外縁３１Ｔとにより囲まれた１つの区画であるセル領域ＣＲに１つの光源１が配置されるようになっている。すなわち、隣り合うセル領域ＣＲ同士の境界Ｋに沿って最外縁３１Ｔは延びている。
【００１９】
反射シート３は、例えば射出成型や熱プレス成型などにより、第１〜第４の領域部分３１〜３４が一体に成型されたものであるとよい。反射シート３の構成材料としては、例えばポリカーボネート樹脂、ＰＭＭＡ（ポリメチルメタクリレート樹脂）などのアクリル樹脂、ポリエチレンテレフタレートなどのポリエステル樹脂、ＭＳ（メチルメタクリレートとスチレンの共重合体）などの非晶性共重合ポリエステル樹脂、ポリスチレン樹脂およびポリ塩化ビニル樹脂などが挙げられる。
【００２０】
（反射型レンズ２）
反射型レンズ２は反射面２Ｓを有しており、光源１からの光をその反射面２Ｓにおいて側方へ反射するように機能する。すなわち、反射型レンズ２は、ＸＹ平面において広範囲に光を広げることができる。さらに図１Ｂなどに示したように、反射型レンズ２は、例えば基体１００の内面１００Ｓから第１の高さＨ１の位置にある上端縁２Ｔを有する。第１の領域部分３１の最外縁３１Ｔは、第２の高さＨ２の位置にある。第２の高さＨ２は、第１の高さＨ１よりも低くなっているとよい。
【００２１】
（拡散板４）
拡散板４は、例えばＸ方向に伸びる複数のレンチキュラーレンズがＹ方向に並ぶように形成された第１の拡散板４１と、Ｙ方向に伸びる複数のレンチキュラーレンズがＸ方向に並ぶように形成された第２の拡散板４２とがＺ方向に積層されたものである。
【００２２】
（光学シート群５）
光学シート群５は、例えば、拡散シート，レンズフィルム，偏光分離シートなどの複数のシート状部材が積層されたものである。但し、図１Ａでは、それらを１つにまとめて図示している。
【００２３】
［発光装置１０の作用および効果］
光源１は点光源であるので、光源１から発せられた光は光源１の発光点から全方向に広がりつつ反射型レンズ２へ向かう。その光は、反射型レンズ２の反射面２Ｓで反射されたのち、反射シート３の第１〜第４の面３１Ｓ〜３４Ｓにおいて反射等の光学的作用を受ける。そののち、その光は拡散板４および光学シート群５へ向かう。また、一旦拡散板４へ到達した光の一部は拡散板４を透過せずに戻る戻り光となり、再度反射シート３により反射等されたのち、再度拡散板４へ向かうこととなる。最終的には拡散板４と光学シート群５とを通過し、光学シート群５の外側（光源１と反対側）において発光として観測される。ここで、本実施の形態の発光装置１０では、光源１を取り囲むように設けられた反射シート３が、光源１から離れるほど基体からも離れるように第１の角度θ１をなす第１の面３１Ｓを含むようにした。このため、光源１から発せられた光の一部は、例えば図４Ａに示したように反射面２Ｓにおいて反射したのち第１の面３１Ｓに到達し、第１の面２１Ｓにおいて反射等されてその光源１の直上方向へ進行する光Ｌ１となる。一方、光源１から発せられた光の他の一部は、反射面２Ｓにおいて反射したのち例えば第２の面３２Ｓに到達し、第２の面３２Ｓにおいて反射等されて適度に広がる光Ｌ２となる。ここで、発光装置１０では第２の面３２Ｓが第２の角度θ２をなすようにしたので、隣のセル領域ＣＲの直上へ広がる光を適度に抑えることができる。
【００２４】
発光装置１０では、このような反射シート３に起因する作用により、例えば図４Ｂに示した曲線Ｃ１のような輝度分布が得られる。図４Ｂでは、横軸がＸＹ平面における位置、すなわち光源１の発光点からの距離を表し、縦軸が輝度を表している。また、図４Ｂにおいて、曲線Ｃ２は発光装置１０から反射シート３を除去した構成の発光装置における輝度分布を表し、曲線Ｃ３は発光装置１０から反射シート３を除去すると共に反射型レンズ２を屈折型レンズに置き換えた構成の発光装置における輝度分布を表す。なお、図４Ｂの曲線Ｃ１〜Ｃ３は、いずれも拡散板４を透過する前の段階での輝度分布を表す。曲線Ｃ１で示したように、発光装置１０では、セル領域ＣＲに対応する比較的広い範囲において高い輝度が得られ、光源１からある程度離れた位置になると急激に輝度が低下する。これに対し、曲線Ｃ２では、輝度の変化が緩やかであり、高輝度の領域と低輝度の領域との境界が不明瞭となっている。さらに曲線Ｃ３では、輝度のピーク値は高いものの、高輝度の領域が極めて狭い。
【００２５】
このような作用により、反射シート３を搭載した発光装置１０では、光源１からの光を効率的に利用して正面輝度を高めつつ、点灯したい領域に光を集光できるので、エリアコントラスト性能の向上が実現できる。
【００２６】
なお、最外縁３１ＴがＸＹ平面において格子状に設けられていることにより、最外縁３１Ｔの近傍における輝度の低下により輝度むら（格子状の暗線）が発生するおそれがある。しかしながら、発光装置１０では、反射シート３の上方に第１の拡散板４１と第２の拡散板４２とが積層されてなる拡散板４が設けられている。これにより拡散板４への入射光がＸＹ平面内において拡散させるので、最外縁３１Ｔに起因する輝度むらを解消することができる。よって、隣り合う他のセル領域ＣＲの光源１からの光との境界が明確に現れないように、発光装置１０全体におけるＸＹ面内での輝度分布の平坦化が実現される。
【００２７】
また反射シート３において、第１の面３１Ｓと第２の面３２Ｓとを曲面からなる第４の面３４Ｓにより繋ぐようにしたので、光源１から発せられた光の輝度分布において強い輝度ピークが出現するのを抑えることができる。これは、第１の面３１Ｓにおいて反射等された光Ｌ１の輝度分布と、第２の面３２Ｓにおいて反射等された光Ｌ２の輝度分布との重なり部分における輝度ピークを弱めることができるからである。
【００２８】
このような発光装置１０によれば、全体を薄型化した場合であっても例えば輝度分布の緩和（輝度均質化）と部分駆動時のコントラスト比の向上との両立などの優れた発光性能を実現することができる。このため、この発光装置１０を用いた表示装置によれば、優れた映像表現を発揮することができる。また、この発光装置を用いた照明装置によれば、対象物に対し、選択的に、より均質な照明を行うことができる。
【００２９】
＜２．第１の実施の形態の第１変形例＞
［反射シート３Ａを備えた発光装置１０Ａの構成および作用効果］
本実施の形態では、例えば図５に示した第１変形例としての反射シート３Ａのように、第２の領域Ｒ２においてＸＹ平面に沿って広がる第２の領域部分３２Ａを含むものとしてもよい。この場合であっても、第１の領域部分３１の存在により、光源１の直上方向へ進行する光Ｌ１を形成することができる。よって、反射シート３Ａを備えた発光装置１０Ａにおいても、輝度分布の緩和（輝度均質化）と部分駆動時のコントラスト比の向上との両立を図ることができる。
【００３０】
＜３．第１の実施の形態の第２変形例＞
［共通の光源基板７１を備えた発光装置１０Ｂの構成および作用効果］
本実施の形態では、図６に示した発光装置１０Ｂのように、光源基板７の代わりに２以上の光源１が共有する共通の光源基板７１を設けるようにしてもよい。例えば帯状の光源基板７１に、その長手方向に沿って所定の間隔で並ぶように複数の光源１を固定し、光源ユニットを予め複数作製しておき、それらの光源ユニットを筐体１００に並べるようにすれば、組立作業の効率化を図ることができる。
【００３１】
＜４．第１の実施の形態の第３変形例＞
［光源基板と反射部材とを一体化した光学基板８を備えた発光装置１０Ｃの構成および作用効果］
本実施の形態では、図７に示した発光装置１０Ｃのように、光源基板７および反射シート３の代わりにそれらを一体化した光学基板８を設けるようにしてもよい。光学基板８は、境界Ｋの近傍に傾斜面８１Ａを含む凸部が形成されている。この傾斜面８１Ａが図１Ｂなどに示した第１の領域部分３１における第１の面３１Ｓと同様の作用をもたらす。よって、発光装置１０Ｃにおいても、輝度分布の緩和（輝度均質化）と部分駆動時のコントラスト比の向上との両立を図ることができる。
【００３２】
＜５．第１の実施の形態の第４変形例＞
［発光装置１０Ｄの構成および作用効果］
本変形例の発光装置１０Ｄは、図８に示したように、曲面のみからなる反射面３Ｓを有する反射シート３Ｂを備えたものである。この場合であっても、所望の輝度分布が得られるように反射面３Ｓの湾曲形状を適宜設定することにより、輝度分布の緩和（輝度均質化）と部分駆動時のコントラスト比の向上との両立を図ることができる。
【００３３】
＜６．第２の実施の形態＞
図９は、本技術の第２の実施の形態に係る表示装置１０１の外観を表したものである。この表示装置１０１は、発光装置１０を備え、例えば薄型テレビジョン装置として用いられるものであり、画像表示のための平板状の本体部１０２をスタンド１０３により支持した構成を有している。なお、表示装置１０１は、スタンド１０３を本体部１０２に取付けた状態で、床，棚または台などの水平面に載置して据置型として用いられるが、スタンド１０３を本体部１０２から取り外した状態で壁掛型として用いることも可能である。
【００３４】
図１０は、図９に示した本体部１０２を分解して表したものである。本体部１０２は、例えば、前面側（視聴者側）から、前部外装部材（ベゼル）１１１，パネルモジュール１１２および後部外装部材（リアカバー）１１３をこの順に有している。前部外装部材１１１は、パネルモジュール１１２の前面周縁部を覆う額縁状の部材であり、下方には一対のスピーカー１１４が配置されている。パネルモジュール１１２は前部外装部材１１１に固定され、その背面には電源基板１１５および信号基板１１６が実装されると共に取付金具１１７が固定されている。取付金具１１７は、壁掛けブラケットの取付、基板等の取付およびスタンド１０３の取付のためのものである。後部外装部材１１３は、パネルモジュール１１２の背面および側面を被覆している。
【００３５】
図１１は、図１０に示したパネルモジュール１１２を分解して表したものである。パネルモジュール１１２は、例えば、前面側（視聴者側）から、前部筐体（トップシャーシ）１２１，液晶パネル１２２，枠状部材（ミドルシャーシ）８０，光学シート群５，拡散板４，反射シート３，光源１および反射型レンズ２が設けられた基体１００，後部筐体（バックシャーシ）１２４およびタイミングコントローラ基板１２７をこの順に有している。但し、図１１では、光源１および反射型レンズ２の図示を省略している。
【００３６】
前部筐体１２１は、液晶パネル１２２の前面周縁部を覆う枠状の金属部品である。液晶パネル１２２は、例えば、液晶セル１２２Ａと、ソース基板１２２Ｂと、これらを接続するＣＯＦ（Chip On Film）などの可撓性基板１２２Ｃとを有している。枠状部材１２３は、液晶パネル１２２および光学シート５０を保持する枠状の樹脂部品である。後部筐体１２４は、液晶パネル１２２，中間筐体１２３および発光装置１０を収容する、鉄（Ｆｅ）等よりなる金属部品である。タイミングコントローラ基板１２７もまた、後部筐体１２４の背面に実装されている。
【００３７】
この表示装置１０１では、発光装置１０からの光が液晶パネル１２２により選択的に透過されることにより、画像表示が行われる。ここでは、第１の実施の形態で説明したように、面内の輝度分布の均質性が向上した発光装置１０を備えているので、表示装置１０１の表示品質が向上する。
【００３８】
＜７．表示装置の適用例＞
以下、上記のような表示装置１０１の電子機器への適用例について説明する。電子機器としては、例えばテレビジョン装置，デジタルカメラ，ノート型パーソナルコンピュータ、携帯電話等の携帯端末装置あるいはビデオカメラ等が挙げられる。言い換えると、上記表示装置は、外部から入力された映像信号あるいは内部で生成した映像信号を、画像あるいは映像として表示するあらゆる分野の電子機器に適用することが可能である。
【００３９】
図１２Ａは、上記実施の形態の表示装置１０１が適用されるタブレット型端末装置の外観を表したものである。図１２Ｂは、上記実施の形態の表示装置１０１が適用される他のタブレット型端末装置の外観を表したものである。これらのタブレット型端末装置は、いずれも、例えば表示部２１０および非表示部２２０を有しており、この表示部２１０が上記実施の形態の表示装置１０１により構成されている。
【００４０】
＜８．照明装置の適用例＞
図１３および図１４は、上記実施の形態の発光装置１０が適用される卓上用の照明装置の外観を表したものである。この照明装置は、例えば、基台８４１に設けられた支柱８４２に、照明部８４３を取り付けたものであり、この照明部８４３は、上記第１および第２の実施の形態に係る発光装置１０，２０のいずれかにより構成されている。照明部８４３は、基板２や反射板３、光学シート４などを湾曲形状とすることにより、図１３に示した筒状、または図１４に示した曲面状など、任意の形状とすることが可能である。
【００４１】
図１５は、上記実施の形態の発光装置１０が適用される室内用の照明装置の外観を表したものである。この照明装置は、例えば、上記実施の形態に係る発光装置１，２のいずれかにより構成された照明部８４４を有している。照明部８４４は、建造物の天井８５０Ａに適宜の個数および間隔で配置されている。なお、照明部８４４は、用途に応じて、天井８５０Ａに限らず、壁８５０Ｂまたは床（図示せず）など任意の場所に設置することが可能である。
【００４２】
これらの照明装置では、発光装置１０からの光により、照明が行われる。ここでは面内の輝度分布の均質性が向上した発光装置１０を備えているので、照明品質が向上する。
【００４３】
以上、実施の形態、変形例および実験例を挙げて本開示を説明したが、本開示は上記実施の形態等に限定されるものではなく、種々の変形が可能である。例えば図２では、複数のセルＣＲがマトリックス状に配置された例を示しているが、本開示はこれに限定されるものではない。例えば、図１６に示した発光装置１０Ｅのように、一方の並び方向（Ｘ方向）に対して他方の並び方向が斜め方向（Ｘ方向に対して直交する方向以外の方向）となっていてもよい。また、各セル領域ＣＲの形状は正方形に限定されるものではなく、略円形や略六角形であってもよい。
【００４４】
また、各図に示した各構成要素の寸法および寸法比や形状は一例であって本開示がこれに限定されるものではない。
【００４５】
また、例えば、上記実施の形態では、光源１がＬＥＤである場合について説明したが、光源１は半導体レーザ等により構成されていてもよい。
【００４６】
さらに、例えば、上記実施の形態等において発光装置１０および表示装置１０１（テレビジョン装置）の構成を具体的に挙げて説明したが、全ての構成要素を備える必要はなく、また、他の構成要素を備えていてもよい。
【００４７】
なお、本明細書中に記載された効果はあくまで例示であってその記載に限定されるものではなく、他の効果があってもよい。また、本技術は以下のような構成を取り得るものである。
（１）
表面を有する基体と、
前記基体の表面に設けられ、光軸を有する１以上の光源と、
前記基体との間に前記光源を挟むように設けられた反射型レンズと、
前記基体の表面に沿って前記光源を取り囲むように設けられ、前記光源から離れるほど前記基体からも離れるように前記光軸と実質的に直交する平面に対して第１の角度をなす第１の面を含む反射部材と、
前記基体との間に前記光源、前記反射型レンズおよび前記反射部材を挟むように設けられた光拡散部材と
を備えた発光装置。
（２）
前記反射部材は、前記光源を取り囲む第１の領域部分と、前記光源と前記第１の領域部分との間において前記光源を取り囲む第２の領域部分とを有し、
前記第１の領域部分が前記第１の面を含み、
前記第２の領域部分は、前記光源から離れるほど前記基体からも離れるように前記光軸と実質的に直交する平面に対して前記第１の角度よりも小さい第２の角度をなす第２の面を含む
上記（１）に記載の発光装置。
（３）
前記反射部材は、前記光源と前記第２の領域部分との間に、前記基体と直接的にまたは間接的に固定された第３の領域部分をさらに有する
上記（２）に記載の発光装置。
（４）
前記第１の領域部分と前記第２の領域部分との間に、前記第１の面と前記第２の面とを繋ぐ曲面からなる第４の面を含む第４の領域部分をさらに有する
上記（２）または（３）に記載の発光装置。
（５）
前記第１の領域部分は、前記反射部材のうち最も前記基体から離れた位置にある最外縁を含む
上記（１）から（４）のいずれか１つに記載の発光装置。
（６）
前記反射型レンズは、前記基体の表面から第１の高さの位置にある上端縁を有し、
前記第１の領域部分の最外縁は、前記基体の表面から前記第１の高さよりも低い第２の高さの位置にある
上記（５）記載の発光装置。
（７）
液晶パネルと、前記液晶パネルの背面側の発光装置とを備え、
前記発光装置は、
表面を有する基体と、
前記基体の表面に設けられ、光軸を有する１以上の光源と、
前記基体との間に前記光源を挟むように設けられた反射型レンズと、
前記基体の表面に沿って前記光源を取り囲むように設けられ、前記光源から離れるほど前記基体からも離れるように前記光軸と実質的に直交する平面に対して第１の角度をなす第１の面を含む反射部材と、
前記基体との間に前記光源、前記反射型レンズおよび前記反射部材を挟むように設けられた光拡散部材と
を有する表示装置。
（８）
発光装置を備え、
前記発光装置は、
表面を有する基体と、
前記基体の表面に設けられ、光軸を有する１以上の光源と、
前記基体との間に前記光源を挟むように設けられた反射型レンズと、
前記基体の表面に沿って前記光源を取り囲むように設けられ、前記光源から離れるほど前記基体からも離れるように前記光軸と実質的に直交する平面に対して第１の角度をなす第１の面を含む反射部材と、
前記基体との間に前記光源、前記反射型レンズおよび前記反射部材を挟むように設けられた光拡散部材と
を有する照明装置。
【００４８】
本出願は、日本国特許庁において２０１５年６月２６日に出願された日本特許出願番号２０１５−１２８４０９号を基礎として優先権を主張するものであり、この出願のすべての内容を参照によって本出願に援用する。
【００４９】
当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。
【図１Ａ】
2016208484.tif 000003
【図１Ｂ】
2016208484.tif 000004
【図２】
2016208484.tif 000005
【図３】
2016208484.tif 000006
【図４Ａ】
2016208484.tif 000007
【図４Ｂ】
2016208484.tif 000008
【図５】
2016208484.tif 000009
【図６】
2016208484.tif 000010
【図７】
2016208484.tif 000011
【図８】
2016208484.tif 000012
【図９】
2016208484.tif 000013
【図１０】
2016208484.tif 000014
【図１１】
2016208484.tif 000015
【図１２Ａ】
2016208484.tif 000016
【図１２Ｂ】
2016208484.tif 000017
【図１３】
2016208484.tif 000018
【図１４】
2016208484.tif 000019
【図１５】
2016208484.tif 000020
【図１６】
2016208484.tif 000021
【国際調査報告】
2016208484.tif 000022
2016208484.tif 000023
2016208484.tif 000024